(57)【要約】      （修正有）【課題】水濡れによるハードウェア内の部品破損や、メモリ内のデータ消失を低減させること。【解決手段】携帯電話機１は、本体の内部回路に電源を供給するためのバッテリ１０１と、複数箇所の水濡れ検出部１０２、１０３、１０４、１０５と、サウンドを出力するためのスピーカ１０６と、情報内容を表示するための表示部１０７と、情報入力のためのキー操作部１０８と、振動による出力のためのバイブレータ１０９と、音声入力用のマイク１１０と、各部からの情報を制御するためのＣＰＵ１１１と、ユーザのデータを保存するメモリ１１３と、音声を出力するためのレシーバ１１４と、外部との無線通信を行うためのアンテナ１１５と、発着信を制御するための送受信部１１２を備えている。水濡れ検出部１０２、１０３、１０４、１０５は水濡れを検出した時にバッテリ１０１から自機の内部回路への電源供給を遮断する。【選択図】図１
2007251830.tif 000002
【特許請求の範囲】
【請求項１】
水濡れ検出部を複数箇所に備え、水濡れを検出した時にバッテリから自機の内部回路への電源供給を遮断することを特徴とする携帯端末。
【請求項２】
前記水濡れ検出部自体に、水濡れ状態を検出すると電源供給を遮断する回路を持つことで、水濡れ状態になった際に即座に自機内部回路への電源供給を遮断することを特徴とする請求項１記載の携帯端末。
【請求項３】
前記水濡れ検出部をバッテリから自機内部回路への電源供給路の間に、直列に配置することを特徴とする請求項１または２記載の携帯端末。
【請求項４】
携帯端末の複数箇所に備えられた水濡れ検出部が水濡れを検出した時にバッテリからの電源供給が遮断されることを特徴とする携帯端末の回路。
【請求項５】
携帯端末の複数箇所に備えられた水濡れ検出部自体が備える水濡れ状態を検出した時にバッテリからの電源供給を遮断することを特徴とする携帯端末の回路。
【請求項６】
前記水濡れ検出部はバッテリから自回路への電源供給路の間に、直列に配置されることを特徴とする請求項４または５記載の携帯端末の回路。
【発明の詳細な説明】
【技術分野】
【０００１】
本発明は、携帯端末の水没あるいは水濡れで携帯端末内に水が浸入した際に、水が進入する箇所が複数あった場合のトラブルを回避する技術に関する。
【背景技術】
【０００２】
従来、ユーザが誤って携帯端末を水没等により携帯端末が水濡れしたことを確認できるように、水没等の水濡れを検出するための水濡れ判定ラベルが端末内の各場所に貼られており、水濡れ判定ラベルが水没等により一旦水に濡れると変色などで反応し、過去に端末が水に濡れたことが一目で確認できるようになっている。
【０００３】
最近の携帯端末は、電話帳内の電話番号、住所録や、画像データ、音楽データなど、ユーザにとって大事なデータが多数格納されており、水没あるいは水濡れにより水が浸入してハードが故障するとデータが消失する可能性があり、また携帯端末の部品が破損すると携帯端末の修理が必要となるなど、ユーザにとっては大きな損失となる。
【０００４】
本問題への対応としては、電源遮断回路と水没検出部を用いた内部回路動作による電源遮断によりハードウェアの故障を防止する技術が、例えば、特許文献１に開示されている。
【特許文献１】特開２００５−３１１６３７号公報
【発明の開示】
【発明が解決しようとする課題】
【０００５】
しかしながら、上述した従来例においては次のような問題点があった。
【０００６】
携帯端末が水没あるいは水濡れにより水が進入する際、水が入る箇所は複数あるため、複数箇所の水の浸入や、局地的な水濡れには対処することができず、また、制御部からの電源遮断の制御時に負荷大で処理に時間かかる間に水没による短絡でハード故障を起こす可能性があり、水濡れ後に直ちに電源の遮断が不可欠であるにもかかわらず、従来技術では対処が厳しいという問題があった。
【０００７】
本発明は、以上説明した事情に鑑みてなされたものであり、その目的は、ハードウェアの故障やメモリに格納されたデータ消失の可能性を従来の方法より更に少なくすることにある。
【課題を解決するための手段】
【０００８】
上記課題を解決するために、本発明は、水濡れ検出部を複数箇所に備え、水濡れを検出した時にバッテリから自機の内部回路への電源供給を遮断する携帯端末を提供する。
【０００９】
また、本発明は、携帯端末の複数箇所に備えられた水濡れ検出部が水濡れを検出した時にバッテリからの電源供給が遮断される携帯端末の回路を提供する。
【００１０】
また、本発明は、携帯端末の複数箇所に備えられた水濡れ検出部自体が備える水濡れ状態を検出した時にバッテリからの電源供給を遮断する携帯端末の回路を提供する。
【発明の効果】
【００１１】
本発明によれば、水濡れによるハードウェア内の部品破損や、メモリ内のデータ消失を低減させることができる。
【発明を実施するための最良の形態】
【００１２】
以下、本発明の第１の実施の形態について図面を参照して詳細に説明する。図１は実施の形態として、携帯電話機１のブロック図を表したものである。
【００１３】
図１を参照すると、本実施の形態における携帯電話機１は、本体の内部回路に電源を供給するためのバッテリ１０１と、本体における水没あるいは水濡れ（水以外の液体も含む）による水濡れ状態を検出し、電源供給を遮断する機能を持つ水濡れ検出部１０２と、水濡れ検出部１０３と、水濡れ検出部１０４と、水濡れ検出部１０５と、サウンドを出力するためのスピーカ１０６と、情報内容を表示するための表示部１０７と、情報入力のためのキー操作部１０８と、振動による出力のためのバイブレータ１０９と、音声入力用のマイク１１０と、各部からの情報を制御するためのＣＰＵ１１１と、ユーザのデータを保存するメモリ１１３と、音声を出力するためのレシーバ１１４と、外部との無線通信を行うためのアンテナ１１５と、発着信を制御するための送受信部１１２を備えている。
【００１４】
図１の携帯電話機１の各部品であるスピーカ１０６と、表示部１０７と、キー操作部１０８と、バイブレータ１０９と、マイク１１０と、ＣＰＵ１１１と、送受信部１１２と、メモリ１１３と、レシーバ１１４は、直列に配列された水濡れ検出部１０２、水濡れ検出部１０３、水濡れ検出部１０４および水濡れ検出部１０５を介した電源供給路を通じて、バッテリ１０１から電源が供給されて動作する。
【００１５】
図２は本発明の水濡れ検出部１０２、水濡れ検出部１０３、水濡れ検出部１０４および水濡れ検出部１０５内部のブロック図である。水濡れ検出部１０２、水濡れ検出部１０３、水濡れ検出部１０４、水濡れ検出部１０５はすべて共通の形状、機能を有する。水濡れ検出部１０２、水濡れ検出部１０３、水濡れ検出部１０４および水濡れ検出部１０５の内部には、水濡れ状態を検出するための水濡れセンサー２０１と、電源入力と電源出力と水濡れセンサー２０１からの信号が接続された制御部２０２を備えている。
【００１６】
次に、本実施の形態における携帯電話機１の水濡れ保護の処理動作を詳細に説明する。
【００１７】
図２に示すように、水濡れ検出部１０２、水濡れ検出部１０３、水濡れ検出部１０４、水濡れ検出部１０５のうち少なくとも１つは水濡れセンサー２０１において水濡れ検出部の周辺が水濡れ状態であるかどうかを検出する。
【００１８】
制御部２０２は、水濡れセンサー２０１から水濡れ状態であるかどうかの情報を受信し、水濡れ状態でなければ入力された電源をそのまま出力するが、水濡れ状態であれば入力された電源を遮断し、出力には電源を供給しない。
【００１９】
図１に示すように携帯電話機１において、水濡れ検出部１０２、水濡れ検出部１０３、水濡れ検出部１０４および水濡れ検出部１０５は、携帯電話機１本体が水没あるいは水濡れ時に水が浸入しやすい箇所、特にスピーカ１０６やマイク１１０、キー操作部１０８のように外部と空間が開いている箇所の近くに設置され、携帯電話機１内に水が浸入した時の水濡れ状態を常時監視している。
【００２０】
水濡れ検出部１０２、水濡れ検出部１０３、水濡れ検出部１０４および水濡れ検出部１０５は、水没あるいは水濡れにより水が浸入したことを検出すると、直ちに電源を遮断する。
【００２１】
すなわち、水濡れ検出部１０２は水が浸入したことを検出するとバッテリ１０１からの電源を遮断し、水濡れ検出部１０２以降の電源は供給されなくなる。水濡れ検出部１０３は水が浸入したことを検出すると水濡れ検出部１０２からの電源を遮断し、水濡れ検出部１０３以降の電源は供給されなくなる。水濡れ検出部１０４は水が浸入したことを検出すると水濡れ検出部１０３からの電源を遮断し、水濡れ検出部１０４以降の電源は供給されなくなる。水濡れ検出部１０５は水が浸入したことを検出すると水濡れ検出部１０４からの電源を遮断し、水濡れ検出部１０５以降の電源は供給されなくなる。
【００２２】
水濡れ検出部１０２、水濡れ検出部１０３、水濡れ検出部１０４および水濡れ検出部１０５は直列に接続されているため、水濡れ検出部１０２、水濡れ検出部１０３、水濡れ検出部１０４および水濡れ検出部１０５のうち、１つでも水濡れを検出した水濡れ検出部があると、水濡れ検出部４以降の電源供給は遮断され、携帯電話機１内の各部品であるスピーカ１０６と、表示部１０７と、キー操作部１０８と、バイブレータ１０９と、マイク１１０と、ＣＰＵ１１１と、送受信部１１２と、メモリ１１３と、レシーバ１１４に電源が供給されなくなる。
【００２３】
その後、携帯電話機１を十分に乾燥させることにより、水濡れ検出部１０２、水濡れ検出部１０３、水濡れ検出部１０４、水濡れ検出部１０５は水濡れ状態が解除され、再び電源を通すようになり、携帯電話機１の電源を入れると各部品への電源供給が可能となり、各部品は正常に動作し、メモリ１１３に記憶されたデータは消失することなく、読み出すことが可能となる。
【００２４】
以上説明したように本実施の形態によれば、携帯電話機１内に水濡れ検出部を水が浸入しやすい複数箇所に装備し、水濡れを検出した時にバッテリから携帯電話機の内部回路への電源供給を遮断することで、水濡れによるハードウェア内の部品破損や、メモリ内のデータ消失を低減させる効果がある。
【００２５】
水濡れ検出部自体に、水濡れ状態を検出すると電源供給を断にする回路を持つことで、水濡れ状態になった際に即座に端末内部回路への電源供給を遮断することが可能となり、水濡れによるハードウェア内の部品故障や、メモリ内のデータ消失を低減させる効果がある。
【００２６】
携帯電話機１が水没あるいは水濡れの際、水が浸入しやすい複数箇所それぞれに水濡れ検出器を配置し、バッテリから端末内部回路への電源供給路の間に、直列に配置することで、水が進入する箇所が複数あった場合や局地的に水が進入した場合にも電源供給を遮断することが可能となり、水濡れによるハードウェア内の部品故障や、メモリ内のデータ消失を低減させる効果がある。
【００２７】
次に本発明の第２の実施形態について説明する。上記の第１の実施の形態では、携帯電話機１について述べたが、携帯電話機１以外にも、小型のデジタルカメラ、ウォークマン、ＰＤＡ（Ｐｅｒｓｏｎａｌ  Ｄｉｇｉｔａｌ  Ａｓｓｉｓｔａｎｔ）等の携帯端末装置においても、上記複数の水濡れ検出部を、バッテリから端末内部回路への電源供給路の間に設置することで、端末内部回路の各部品の破損や、メモリ内のデータ消失を低減させることが可能となる。
【００２８】
また、水濡れ検出部は４つだけでなく、実装可能な限り更に直列配置に増加することで、水が進入する箇所が複数あった場合や局地的に水が進入した場合にも、水濡れ状態を更に詳細に検出し、水没や水濡れによるハードウェア内の部品故障や、メモリ内のデータ消失をより一層低減させることが可能となる。
【００２９】
なお、上述する各実施の形態は、本発明の好適な実施の形態であり、本発明の要旨を逸脱しない範囲内において種々変更実施が可能である。
【図面の簡単な説明】
【００３０】
【図１】本発明の第１の実施の形態における携帯電話機の内部の構成を示すブロック図である。
【図２】本発明の第１の実施の形態における水濡れ検出部の内部の構成を示すブロック図である。
【符号の説明】
【００３１】
１    携帯電話機
１０１    バッテリ
１０２、１０３、１０４、１０５    水濡れ検出部
１０６    スピーカ
１０７    表示部
１０８    キー操作部
１０９    バイブレータ
１１０    マイク
１１１    ＣＰＵ
１１２    送受信部
１１３    メモリ
１１４    レシーバ
１１５    アンテナ
【図１】
2007251830.tif 000003
【図２】
2007251830.tif 000004